(57)【要約】  反射材は積層構造である。上記積層構造の複数の層は、順にＰＥＴ膜（１）、ＰＵ層（２）、ガラスビーズ（３）、ＰＵ層（４）、高い透過性の着色層（５）、弾性ＰＵ層（６）、反射金属層（７）、弾性ＰＵ層（８）、および接着層である。上記反射材は、安全帽、反射する衣類または標識に適用される。
2012519306.tif 000002
【特許請求の範囲】
【請求項１】
複合的な層状構造を有している反射材であって、順序付けて一体に積層されている、ＰＥＴ膜、ＰＵ層、マイクロガラスビーズ、もう１つのＰＵ層、高い光透過性を有している着色層、弾性ＰＵ層、金属反射層、もう１つの弾性ＰＵ層、および接着層を備えている、反射材。
【請求項２】
表面層の上にガラスビーズ層を設けるステップであって、当該ガラスビーズ層がマイクロガラスビーズを含んでおり、当該マイクロガラスビーズが上記表面層の上に配置され、当該表面層に接着される、ステップと、
上記ガラスビーズ層の上にＰＵ層を設けるステップと、
ＵＶ印刷によって上記ＰＵ層の上に印刷されている着色パターンである高い光透過性を有している着色層を、上記ＰＵ層の上に設けるステップと、
高い光透過性を有している上記着色層の上に金属反射層を設けるステップと、
上記金属反射層の上に弾性ＰＵ層および接着層を設けるステップとを包含している、反射材の製造方法。
【請求項３】
安全ヘルメットに適用される、請求項１に記載の反射材。
【請求項４】
反射性を有している衣類に適用される、請求項１に記載の反射材。
【請求項５】
反射性を有している標識に適用される、請求項１に記載の反射材。
【請求項６】
反射性を有している標識に適用される、請求項１に記載の反射材。
【発明の詳細な説明】
【技術分野】
【０００１】
本発明は、反射材の構造、製造方法、および用途に関する。より詳しくは、積層プロセスによって形成される複合的な層状構造を有している着色反射材に関する。
【背景技術】
【０００２】
時代の変化によって、従来の反射ステッカーは、市場の要求に対処することができなくなった。反射材の表面上に繊細な着色パターンを設けるために、スクリーン印刷が典型的に用いられる。スクリーン印刷は、消費者の要望に応じて、ガラスビーズ層の表面上にカラーインクを印刷する。しかし、ガラスビーズをカラーインクによって被覆する際に、ガラスビーズ層の不規則な表面によって、被覆インクの厚さ、およびしたがって被覆インクを乾燥させることによって形成される着色層の厚さの制御が困難であるという点において、スクリーン印刷プロセスは不都合である。ガラスビーズ層がインクによって均一に被覆されないために、上記着色層の厚さは、ガラスビーズ層の凸部分においてより薄く、凹部分においてより厚い。したがって、直角をなして入射した光の反射と、斜めに入射した光の反射との間には著しい相違があり、このようにして生じた色は均一ではない。
【０００３】
さらに、夜間におけるサイクリングの安全性のために、多くの自転車の運転者は警告灯を購入し、彼らの自転車にそれを取り付ける。代替的に夜間の運転の安全性を高めるために、反射帯、反射ステッカー、または他の反射装置が自転車に取り付けられる。これらの警告灯または反射装置は、自転車のフレームに付加的に取り付ける必要があり、取り付けの容易さのために、紛失し易く、破損し易い。特に、反射帯または反射ステッカーをしばらく使用すると、上記反射帯または反射ステッカーの厚さが損なわれる傾向にあり、したがって自転車の外観を損なわせる。さらに、反射ステッカーは夜間において視認性が高いが、自転車の一部の領域のみに貼り付けられ得るので、限られた効果しか生じ得ない。
【発明の概要】
【０００４】
本発明の目的は、従来技術の上記課題を解決し、着色反射材ならびにそれらの製造方法および用途を提供することである。
【０００５】
上記の目的を実現するための技術的な解決方法は、順序付けて一体に積層されている、ＰＥＴ膜、ＰＵ層、マイクロガラスビーズ、もう１つのＰＵ層、高い光透過性を有している着色層、弾性ＰＵ層、金属反射層、もう１つの弾性ＰＵ層、および接着層を含んでいる複合的な層状構造を有している着色反射材である。
【０００６】
上記の解決方法における着色反射材は以下のように製造される。まず、ガラスビーズ層を表面層の上に形成する。上記ガラスビーズ層は、上記表面層の上に配置されているマイクロガラスビーズを含んでいる。より詳細には、上記マイクロガラスビーズは、上記表面層の上に配置される間に当該表面層の上に接着される。上記マイクロガラスビーズは、透明であり、したがって光透過性を有している。次に、上記マイクロガラスビーズを所定の位置に固定し、上記マイクロガラスビーズの安定性および密集度を向上させるために、上記マイクロガラスビーズの上にＰＵ層を設ける。その後、高い光透過性を有している着色層を上記ＰＵ層の上に設ける。高い光透過性を有している着色層は、ＵＶ印刷によって上記ＰＵ層の上に印刷される着色パターンである。その後、高い光透過性を有している着色層の上に金属反射層を設ける。上記金属反射層は上記マイクロビーズを通過する光を偏向させ得る。それによって、上記金属反射層は高い光透過性を有している上記着色層の明度および色度を向上させる。最後に、弾性ＰＵ層および接着層を上記金属反射層の上に形成する。
【０００７】
ＰＵはポリウレタンの略語である。
【０００８】
ＰＥＴは、ポリエチレンテレフタレートの省略形であり、現在、最も一般的に用いられている熱可塑性ポリエステルである。
【０００９】
本発明において提案されている着色反射材は、光を反射することが求められる種々の製品および分野（例えば、安全ヘルメット、反射性を有している衣類、反射性を有している標識、および反射性を有している熱転写膜）に適用可能である。
【００１０】
本発明の更なる特徴および利点の詳細な説明を、添付の以下の図面を参照して以下に示す。
【図面の簡単な説明】
【００１１】
【図１】本発明の構造を示している概略図である。
【発明を実施するための形態】
【００１２】
図１を参照すると、本発明は、複合的な層状構造を有している着色反射材を開示している。開示されている上記反射材は、順序付けて一体に積層されている、表面層１、ＰＵ層２、マイクロガラスビーズ３、もう１つのＰＵ層４、高い光透過性を有している着色層５、弾性ＰＵ層６、金属反射層７、もう１つの弾性ＰＵ層８、および接着層９を含んでいる。
【００１３】
このような反射材を製造するために、ＰＥＴ膜が表面層１として使用され、マイクロガラスビーズ３を含んでいるガラスビーズ層が表面層１の上に設けられる。マイクロガラスビーズ３は、表面層１の上に配置され、形成されているＰＵ層２によって表面層１に対して接着される。マイクロガラスビーズ３は、光透過性を有するために透明である必要がある。その後、ＰＵ層４が上記ガラスビーズ層の上に設けられる。ＰＵ層４は、マイクロガラスビーズ３を所定の位置に固定し、マイクロガラスビーズ３の安定性および密集度を向上させる役割を果たす。次に、高い光透過性を有している着色層５がＰＵ層４の上に設けられる。より詳細には、高い光透過性を有している着色層５は、ＵＶ印刷プロセスによってＰＵ層４の上に印刷されている着色パターンである。その後、金属反射層７が、高い光透過性を有している着色層５の上に設けられる。光がマイクロガラスビーズ３を通過し、金属反射層７に衝突すると、光が反射されて、高い光透過性を有している着色層５の明度および色度を向上させるように、金属反射層７は光を偏向させ得る。その次に、弾性ＰＵ層８および接着層９が金属反射層７の上に順序付けて設けられる。
【００１４】
本発明の着色反射材は、光を反射させることを求められる様々な製品および分野に適用され得る。例えば、本発明は、反射材層として実現され得、フィルムの剥離を伴うか、または伴わない転写印刷技術(transfer printing technique) によって対象物に接着され得る。さらに、異なる視覚効果を与えるという観点から、上記ＰＵ層の表面の上に異なるパターンを印刷することが可能である。また、高い光透過性を有している着色層の上にある上記ガラスビーズ層は、光を反射し得る。上記ガラスビーズ層がＰＵ層にいったん接着されると、上記ＰＵ層が、高い光透過性を有している上記着色層に対して直接に接着され得る。したがって、上記反射材層が接着される対象物が曲がっている場合、上記着色層は上記対象物に沿って曲がり得る。よって、複雑に湾曲している表面を有している対象物に対して上記着色反射材を使用し得る。
【００１５】
上記反射材の構造および製造プロセスを以下に説明する。例えば、フィルムの剥離を伴う転写印刷技術によって、上記反射材が対象物に接着される。ここで、上記フィルムは上記反射材を上記対象物に対して貼り付けられる媒介物として使用されている。光を反射させるためのガラスビーズ層とともに吹き付け被覆される上記ＰＵ層は、上記高い光透過性を有している着色層を用いて印刷される。高い光透過性を有している上記着色層において溶解せず、この例においては上記ガラスビーズ層から除去可能な上記ＰＵ層を用いて、上記ガラスビーズ層は被覆される。このように、上記反射材層は、転写印刷を用いて表面に小さい曲率を有している対象物に対して直接に接着され得、したがって上記反射材および上記対象物の全体としての厚さを減少させる。
【００１６】
また、本発明は、安全ヘルメット、反射性を有している服、反射性を有している標識などに適用可能である。
【図１】
2012519306.tif 000003
【手続補正書】
【提出日】平成23年9月5日(2011.9.5)
【手続補正１】
【補正対象書類名】明細書
【補正対象項目名】０００６
【補正方法】変更
【補正の内容】
【０００６】
上記の解決方法における着色反射材は以下のように製造される。まず、ガラスビーズ層を表面層の上に形成する。上記ガラスビーズ層は、上記表面層の上に配置されているマイクロガラスビーズを含んでいる。より詳細には、上記マイクロガラスビーズは、上記表面層の上に配置される間に当該表面層の上に接着される。上記マイクロガラスビーズは、透明であり、したがって光透過性を有している。次に、上記マイクロガラスビーズを所定の位置に固定し、上記マイクロガラスビーズの安定性および密集度を向上させるために、上記マイクロガラスビーズの上にＰＵ層を設ける。その後、高い光透過性を有している着色層を上記ＰＵ層の上に設ける。高い光透過性を有している着色層は、ＵＶ印刷によって上記ＰＵ層の上に印刷される着色パターンである。その後、高い光透過性を有している着色層の上に金属反射層を設ける。上記金属反射層は上記マイクロビーズを通過する光を反射させ得る。それによって、上記金属反射層は高い光透過性を有している上記着色層の明度および色度を向上させる。最後に、弾性ＰＵ層および接着層を上記金属反射層の上に形成する。
【手続補正２】
【補正対象書類名】明細書
【補正対象項目名】００１３
【補正方法】変更
【補正の内容】
【００１３】
このような反射材を製造するために、ＰＥＴ膜が表面層１として使用され、マイクロガラスビーズ３を含んでいるガラスビーズ層が表面層１の上に設けられる。マイクロガラスビーズ３は、表面層１の上に配置され、形成されているＰＵ層２によって表面層１に対して接着される。マイクロガラスビーズ３は、光透過性を有するために透明である必要がある。その後、ＰＵ層４が上記ガラスビーズ層の上に設けられる。ＰＵ層４は、マイクロガラスビーズ３を所定の位置に固定し、マイクロガラスビーズ３の安定性および密集度を向上させる役割を果たす。次に、高い光透過性を有している着色層５がＰＵ層４の上に設けられる。より詳細には、高い光透過性を有している着色層５は、ＵＶ印刷プロセスによってＰＵ層４の上に印刷されている着色パターンである。その後、金属反射層７が、高い光透過性を有している着色層５の上に設けられる。光がマイクロガラスビーズ３を通過し、金属反射層７に衝突すると、光が反射されて、高い光透過性を有している着色層５の明度および色度を向上させるように、金属反射層７は光を反射させ得る。その次に、弾性ＰＵ層８および接着層９が金属反射層７の上に順序付けて設けられる。
【手続補正３】
【補正対象書類名】明細書
【補正対象項目名】００１４
【補正方法】変更
【補正の内容】
【００１４】
本発明の着色反射材は、光を反射させることを求められる様々な製品および分野に適用され得る。例えば、本発明は、反射材層として実現され得、フィルムの剥離を伴うか、または伴わない転写印刷技術(transfer printing technique) によって対象物に接着され得る。さらに、異なる視覚効果を与えるという観点から、上記ＰＵ層の表面の上に異なるパターンを印刷することが可能である。また、高い光透過性を有している着色層５の上にある上記ガラスビーズ層は、光を反射し得る。上記ガラスビーズ層がＰＵ層４にいったん接着されると、上記ＰＵ層４が、高い光透過性を有している上記着色層５に対して直接に接着され得る。したがって、上記反射材層が接着される対象物が曲がっている場合、上記着色層５は上記対象物に沿って曲がり得る。よって、複雑に湾曲している表面を有している対象物に対して上記着色反射材を使用し得る。
【手続補正４】
【補正対象書類名】明細書
【補正対象項目名】００１５
【補正方法】変更
【補正の内容】
【００１５】
上記反射材の構造および製造プロセスを以下に説明する。例えば、フィルムの剥離を伴う転写印刷技術によって、上記反射材が対象物に接着される。ここで、上記フィルムは上記反射材を上記対象物に対して貼り付けられる媒介物として使用されている。光を反射させるためのガラスビーズ層とともに吹き付け被覆される上記ＰＵ層６は、上記高い光透過性を有している着色層５を用いて印刷される。高い光透過性を有している上記着色層５において溶解せず、この例においては上記ガラスビーズ層から除去可能な上記ＰＵ層２を用いて、上記ガラスビーズ層は被覆される。このように、上記反射材層は、転写印刷を用いて表面に小さい曲率を有している対象物に対して直接に接着され得、したがって上記反射材および上記対象物の全体としての厚さを減少させる。
【国際調査報告】
2012519306.tif 000004
2012519306.tif 000005
2012519306.tif 000006
2012519306.tif 000007
2012519306.tif 000008
2012519306.tif 000009